(57)【要約】【課題】  脳梗塞などの病気によって、手の指が湾曲した状態でも装着が容易で、握力のない状態でも機能回復訓練用の器具を握った状態に設定できる握力助勢具の提供を目的とする。【解決手段】  帯状の巻付本体を手首に巻付けて装着し、着脱用としての第１の着脱手段を設けた手首装着帯中央部の一辺側から延出して、手を握った状態の拳の表裏面を往復した状態で覆うと共に、前記手首装着帯に着脱する第２の着脱手段を設けた拳カバーとで握力助勢具とした。  この握力助勢具によれば、腕の回復訓練を行う器具に手をそえて、手首装着帯から延出した拳カバーで、指先の曲った拳を覆うことにより、訓練用器具の握り部分を握った状態に設定して、器具の操作を行うことができる。【選択図】        図２
2007105441.tif 000002
【特許請求の範囲】
【請求項１】
帯状の巻付本体よりなり手首に巻付けて装着すると共に、着脱用としての第１の着脱手段を設けた手首装着帯と、
この手首装着帯の中央部の一辺側から延出して、手を握った状態の拳の表裏面を往復した状態で覆うと共に、前記手首装着帯に着脱可能な第２の着脱手段を設けた拳カバーとからなる握力助勢具。
【請求項２】
帯状の巻付本体よりなり手首に巻付けて装着すると共に、着脱用としての第１の着脱手段を設けた手首装着帯と、
この手首装着帯の中央部の一辺側から延出して、手を握った状態の拳の表裏面を往復した状態で覆うと共に、前記手首装着帯に着脱可能な第２の着脱手段を設けた拳カバーと、
この拳カバーの中間部に指を挿入して、指の位置を位置決めする指入とからなる握力助勢具。
【請求項３】
帯状の巻付本体よりなり手首に巻付けて装着すると共に、着脱用としての第１の着脱手段を設けた手首装着帯と、
この手首装着帯の中央部の一辺側から延出して、手を握った状態の拳の表裏面を往復した状態で覆うと共に、前記手首装着帯に着脱可能な第２の着脱手段を設けた拳カバーと、
この拳カバーに握った指先の先端部を押えるように設けた指押えとからなる握力助勢具。
【請求項４】
帯状の巻付本体よりなり手首に巻付けて装着すると共に、着脱用としての第１の着脱手段を設けた手首装着帯と、
この手首装着帯の中央部の一辺側から延出して、手を握った状態の拳の表裏面を往復した状態で覆うと共に、前記手首装着帯に着脱可能な第２の着脱手段を設けた拳カバーと、
この拳カバーの中間部に指を挿入して、指の位置を位置決めする指入と、
この指入れと隣接配置して前記拳カバーに設けると共に、握った指先の先端部を押えるように設けた指押えとからなる握力助勢具。
【発明の詳細な説明】
【技術分野】
【０００１】  本発明は、脳梗塞などの病気によって指が動かなくなり、握力がほとんど無い状態でも、握力を必要とするリハビリ用の器具を使って、腕などを強化できるように改善した握力助勢具に関する。
【背景技術】
【０００２】  脳梗塞などによって、身体機能が低下した場合は、早い時期に回復訓練を行うことが、早期回復の基本である。特に歩行が困難であっても、手や腕の訓練は、寝たり座ったりした状態でも行えるために、早期に始めることが望ましい。
本来ならば、指先や腕の訓練は同時にできれば良いが、腕の回復訓練には器具を握って行うものが多くて、握力がなければ訓練が不可能であった。
そのためには先ず指先の動きを回復させて、器具の握り動作を可能にしなければ、腕の回復訓練が不可能であり、腕のリハビリは遅れがちであって、これが身体機能の回復を遅らせる原因にもなっていた。
指の回復訓練用の器具は各種あるが、握力の乏しい状態での握力を助勢して、腕の訓練を行うことができる補助具は見当らなかった。
例えば握った状態の拳を覆って、指の回復訓練を行う従来例としては、手袋の甲側に指先にまで到る弾性素材を貼り付けた手袋を装着し、握り動作を繰り返すことで、握力を回復させるものがある。（例えば、特許文献１参照）。
また、使用目的は異なるが、握力の弱いお年寄りのために、カバンなどの持ち運びができるように、手袋の掌側に形状記憶板などを設けて、体温や電源などで作動させるものがある。（例えば、特許文献２参照）。
【特許文献１】  実用新案登録第３０８０８７１号公報（第５頁  図１）
【特許文献２】  特開２００２−２２７０１５号公報（第３頁  図４）
【発明の開示】
【発明が解決しようとする課題】
【０００３】  特許文献１に示す握力鍛錬用手袋は、手袋を用いているために、指先を伸ばせる健常者には何ら問題は無いが、脳梗塞などで指の曲げ伸ばしができずに、指が湾曲した状態の手には、手袋の装着が困難であるという大きな欠点があった。
また、手袋の甲側に設けたゴム等の弾性素材は、通気性が悪い手袋と弾性素材とで手首から先を完全に覆うために、暑い夏場の訓練には適さないものであった。
特許文献２に示す握力補助具及び補助手袋は、握力が弱いだけのお年寄りには問題ないが、指の動かない回復訓練者には、特許文献１と同様に、手への装着が困難であった。
また、形状記憶板の作動は、手袋装着者の体温により行うために、手袋を介して温度差を認知することが困難であり、電池などの電源を用いると大型になり、その管理が面倒であるという欠点もあった。
本発明は、このような欠点を解消するためになされたものであり、指が湾曲していても装着が容易で、握力がなくても腕の回復訓練ができるようにした握力助勢具の提供を目的とする。
【発明を解決するための手段】
【０００４】  上記不具合を解決するために、本発明は次のような構成としている。
請求項１に記載した握力助勢具は、帯状の巻付本体を手首に巻付けて装着し、着脱用としての第１の着脱手段を設けた手首装着帯中央部の一辺側から延出して、手を握った状態の拳の表裏面を往復した状態で覆うと共に、前記手首装着帯に着脱する第２の着脱手段を設けた拳カバーとで、握力助勢具とした。
このような握力助勢具によれば、腕の回復訓練を行う装置に手をそえて、手首装着帯から延出した拳カバーで、指先の曲がった拳を覆うことにより、訓練装置を握った状態に設定することができる。
このような状態は握力が無くても、握力助勢具の存在で、訓練装置から手が離れるようなこともなく、装置の作動が可能である。
請求項２に記載した握力助勢具は、請求項１に記載した握力助勢具に、指先を挿入する指入れを設けることにより、握力助勢具と手との関係が確定し、両者を確実に固定することができる。
請求項３に記載した握力助勢具は、請求項１に記載した握力助勢具に、握った指先の先端部を押えるような、指押えを設けることで握力助勢具とした。
このような握力助勢具によれば、指押えの存在でより確実に、指先を押えることができるので、握力を強くした作用が得られるものである。
請求項４に記載した握力助勢具は、請求項１に記載した握力助勢具に、請求項２及び請求項３に記載した指入と指押えとを設けたことにより、確実な装着と握力の強化を向上させるものである。
【発明の効果】
【０００５】  本発明によれば、握力の乏しい手に握力助勢具を装着したことにより、以下の効果を得ることができた。
すなわち、指先が回復して握力が戻らなければ、できなかった腕の回復訓練ができるようになったので、身体の早期回復を望むことができるようになった。
従来例で示すように、その大きさが一定の手袋型ではないので、手の大きさに追従できるし、手袋のような装着時の困難性は少ない。
拳の表裏を覆い両側は塞がれていないので、通気性もよく夏場の使用にも対応できる形状である。また、両側が開放されていても、その内部で指が位置決めされていることと、指押えで指先を押えていることとで、確実に握力を助勢することができる等の効果を得ることができた。
【発明を実施するための最良の形態】
【０００６】  本発明について、図面を参照して説明する。図１は本発明の握力助勢具を示す斜視図、図２は図１の拳カバーを開いた状態で示す斜視図、図３は図１及び図２で示す手首装着帯の裏面側説明図、図４は図２で示す拳カバーを分解して示す斜視図である。
図１で示すように本発明の握力補助具１０は、手首に巻付けて用いる帯状の手首装着帯１２と、この手首装着帯の中央部の一辺側から延出すると共に、握力の乏しい拳の表裏面を覆う拳カバー２０とからなる。
手首装着帯１２には、手首に巻付けた状態で取付けするために、第１の着脱手段１４を設けている。この着脱手段はホックやファスナー類でも可能であるが、本発明では互いに圧接することで固着可能な、市販品で１対よりなる圧接布を用いている。
図２で示すように拳カバー２０は、拳を覆った状態で固定するための第２の着脱手段２４を設けている。この着脱手段は、第１の着脱手段１４で用いたものと同じであり、拳カバー２０の内側先端部と、図３で示すように手首装着帯１２の裏面側の一端に設けて、両者を圧接することで拳カバー２０を、手首装着帯１２に取付けるものである。
このような手首装着帯１２と拳カバー２０とについて、更に詳細に説明する。【０００７】  手首装着帯１２は、伸縮性のある布又は皮などを用いるが、一般的な布でも可能である。すなわち、布状物の帯体よりなり、手首に巻付けて、その両端部に設けた第１の着脱手段を重ね合すことで、圧接布の作用によって手首に取付けできるように設定している。
この手首装着帯１２は、一定幅の布状物よりなるが、本発明においては、その一端側の幅を他方よりも広くしている。この幅広の部分は、手首に巻付けた場合に、上側になる側であり、第２の着脱手段２４である圧接布の面積を、大きく設定できるように幅広としている。その理由は、拳カバー２０を手首装着帯１２に確実に取付けるためである。
図２で示すように、手首装着帯１２の一端側で幅広の部分には、第１の着脱手段１４となる１対のうち、一方の圧接布を取付けている。この圧接布と対応して着脱する他方の圧接布は、図１及び図２で示した手首装着帯１２の裏面側を示す図３のように、幅の狭い部分に第１の着脱手段１４として設けている。また、他方の幅広の部分には、前述した１対よりなる第２の着脱手段２４のうち、一方の圧接布を取付けている。【０００８】  拳カバー２０は、図１で示すようにその中間部で折り返されて、拳の表裏面を覆うものであり、拳の頂部に当る折り返し部分は湾曲した湾曲接合部２２であり、拳頂部の湾曲と合致させて、拳カバー本体２１を形成している。
この拳カバー本体２１は、図４で示すようにその先端部を円弧形にして、長さに長短のある１対の扇形よりなる布などを用いると共に、円弧部分同士を縫い合わせるなどして、湾曲接合部２２を形成している。
このように形成した拳カバー本体２１の、長さの短い方は前述した手首装着帯１２の中央部の一辺側に、縫い合せなどにより接合する。
また、図２でも示したように、拳カバー本体２１の内側には、指を挿入して拳と握力助勢具１０との関係位置を設定する指入２５と、湾曲して握力の乏しい指先の部分を押えるための指押え２６とを設けている。
指入２５は、細長い布片を弛ませるように、湾曲させて取付けたものであり、前述した湾曲接合部２２の近くに配設している。この指入は、拳カバー本体２１の長手方向の中心線上に配置すると共に、基本的には人差指と中指との２本の指を挿入する。
このような指入２５に、人差指と中指との２本を挿入することは、拳の中心部と握力助勢具１０の中心部とを一致させて、拳を正確に覆うことができるように配慮したものである。
指押え２６は、長さに長短のある拳カバー本体２１のうち、長さの長い方に取り付けられ図２の矢印Ａで示したように、その取付位置を移動できように設定している。この移動は使用者の手の大きさの違いに配慮して、指先をより完全に押えられるように、取付位置を調整可能としたものである。
従って、この指押え２６とその取付位置には、第３の着脱手段２７を設けている。この第３の着脱手段２７は、前述したと同様の１対の圧接布からなるものであり、前述した湾曲接合部２２の近くに取付けている。
図面を参照して指押え２６を説明する。図５は図４で示す指押えの裏面側を示す斜視図である。
図５で示すように指押え２６は小さな枕形であり、その一面に前述したと同様の圧接布よりなる第３の着脱手段２７を設けている。この指押え２６は指先が湾曲して、握力の乏しい指先部分上に配設されて、握力助勢具１０を手に装着した際に、拳カバー２０と指先との間に存在するように配設され、指先を掌側に押圧させることで、拳の握力を助勢するものである。【０００９】  このように構成した握力助勢具１０の使用例について、図面を参照して説明する。図６は図１の使用例で、手首装着帯の取付説明図、図７は同じく手首装着帯の取付完了と棒体を握った状態を示す説明図、図８は棒体を握った状態で握力助勢具を取付完了した状態を示す説明図である。
握力助勢具１０を使用するには、握力の乏しい側の手に装着するものであり、図６では右手に装着した例を示している。台上などに握力助勢具１０を広げた状態で置くと共に、握力の乏しい手の人差指と中指とを、拳カバー２０に設けた指入２５に挿入する。この２本の指を入れることによって、拳と握力助勢具１０との関係位置が都合よく設定されるものである。
この状態から手首装着帯１２を、右手首に巻付けるもので、図６の図中の矢印Ａで示す方向に、幅の狭い方の装着帯を巻廻すと共に、幅の広い側の装着帯を図中の矢印Ｂで示す方向に巻付ける。
この巻付けた状態が図７で示すものであり、手首装着帯１２の取付完了状態を示している。このような状態で機能回復用器具の取手や握り５を、図７で示すように支持させると共に、拳カバー２０を図中の矢印Ｃで示す方向に折り返して、拳カバーの内側先端部と装着した手首装着帯１２の表面に設けた第２の着脱手段２４を用いて、両者を押圧により固着して図８で示す状態になる。
尚、この第２の着脱手段２４を接合する前に、拳カバー２０に設けた指押え２６が、握った指先を掌側に押し付けるように、指押え２６の取付位置を調整しなければならない。この指押え２６の位置調整は最初の１度だけであり、次回からは調整済みのために不要である。
図８で示したように、握力助勢具１０を装着した状態では機能回復器具の握り５を握った状態であるから、そのまま腕の回復訓練を行うものである。
訓練終了後は、第２の着脱手段２４を外し、回復器具の握り５を手から離すと共に、第１の着脱手段を外すと、手首に巻付けた手首装着帯１２を手首から取外すことができる。２本の指を指入れ２５から抜くことにより、握力助勢具を完全に取外すことができるものである。【００１０】  本発明の他の例について説明する。本発明の他の例で示す握力助勢具３０は、各指のうち１本だけ独立して握らなければならない親指の握力を、更に強化したい場合に有効なものである。
親指の握りを更にしっかりさせるには、前述した握力助勢具に、親指補強帯５０を追加して対応するものであり、これについて図面を参照して説明する。図９は本発明の他の例で、図１で示した握力助勢具の裏面側を示す斜視図、図１０は同じく他の例で用いる親指補強帯を示す斜視図、図１１は図１０で示した親指補強帯の使用例を示す説明図である。
本発明の他の例で示す握力助勢具３０は、図９で示すように前述した握力助勢具１０に親指補強帯５０を取付けるホックと前述例と同様の第４の着脱手段とを設けている。
握力助勢具３０は前述例と同様であり、その詳細な説明は省略するが、前述例と同様に手首装着帯３２と拳カバー４０とからなる。図９で示す握力助勢具３０は、図１の裏面側を示すものであり、手首装着帯３２を着脱するための第１の着脱手段３４の一方側と、拳カバー４０を着脱するための第２の着脱手段４４のうちの一方側を、手首装着帯３２に設けていることは前述例と同様である。
このような握力助勢具３０に、親指補強帯５０を取付けるには、図９で示すように手首装着帯３２の中間部であり、手首装着帯を手首に取付けた場合に、手首の両横に位置するところに、メスとオスとからなる１対のホックのうち一方側のホックを取付ける。
例えば、第１の着脱手段３４の隣にメスのホック５６を、また第２の着脱手段４４の隣にも同じくメスのホック５７を取付ける。これらの各ホックは、親指補強帯５０の一端を取付けるものであって、右手用と左手用として使い分けるものである。
親指補強帯５０の他端側は、前述したと同様の圧接布よりなる着脱手段を用いて固着しており、図９で示す拳カバー４０の湾曲接合部４２の頂部付近には、第４の着脱手段５４を設けている。【００１１】  親指補強帯５０は、図１０で示すように握力助勢具３０に用いたと同じ材料であり、例えば布などを用いた帯状の補強帯５１と、この補強体本体の一端に設けられて、前述したメスのホック５６、５７と対応して固着するオスのホック５８と、このホック５８と対向する他端側に設けられた着脱用としての、第４の着脱手段５４とを配設している。
ホック５８と第４の着脱手段５４とは、前述した握力助勢具３０の手首装着体３２に設けたホック５６、５７と、拳カバー４０に設けた第４の着脱手段とに対応して固着できるように配設している。
尚、左手に握力助勢具３０を取付けた場合は、ホック５６と親指補強体に設けたホック５８とを用いて、両者を固着すると共に、右手に握力助勢具３０を取付けた場合は、ホック５７と親指補強帯に設けたホック５８とを用いて、両者を固着する。また、第４の着脱手段は左手及び右手とも共用して用いるものである。
このように構成した本発明の他の例の使用例について、握力助勢具３０を左手に装着した場合を例として説明する。図１１で示すように本発明の他の例の握力助勢具３０を、左手に装着するには前述例と同様にして、機能回復器具などの取手や握り５を支持した状態で、親指補強体５０に設けたホック５８と、握力助勢具３０に設けたホック５６とを組合せして固着する。
この状態から親指補強帯５０で、親指を押えるように覆ってから、第４の着脱手段５４同士を圧接することで、親指の握力を更に強化させることができる。このような状態で機能回復器具を操作すると、握り５をしっかりと確保した状態で訓練を行うことができる。【００１２】  以上説明した握力助勢具の手首装着帯は、拳を覆う拳カバーの一端側に設けているが、図１及び図２で示した位置とは異なる他端側に設けてもよい。また拳カバーの両端側にそれぞれ設けて、手首を二重に巻廻すようにしても良い。
更に、手首に手首装着帯を巻付ける構成ではなく、運動用などのサポーターを手首に巻付けて、このサポーターに拳カバーを取付けるようにしたものでも良い。
本発明の握力助勢具に用いた着脱手段やホック等は、他のファスナー類を使っても可能であり、使用状況に応じて変えられることは当然である。
【図面の簡単な説明】
【００１３】
【図１】  本発明の握力助勢具を示す斜視図である。
【図２】  図１の拳カバーを開いた状態で示す斜視図である。
【図３】  図２で示す手首装着帯の裏面側説明図である。
【図４】  図２で示す拳カバーを分解して示す斜視図である。
【図５】  図４で示す指押えの裏面側を示す斜視図である。
【図６】  図１の使用例で、手首装着帯の取付説明図である。
【図７】  図６で示す手首装着帯の取付完了と、棒体を握った状態を示す説明図である。
【図８】  図７の取付完了を示す説明図である。
【図９】  本発明の他の例の握力助勢具を示す説明図である。
【図１０】  本発明の他の例で用いる親指補強帯を示す斜視図である。
【図１１】  図１０で示した親指補強帯の使用例を示す説明図である。
【符号の説明】
【００１４】１０  握力助勢具
１２  手首装着帯
１４  第１の着脱手段
２０  拳カバー
２４  第２の着脱手段
２５  指入れ
２６  指押え
３０  握力助勢具
３２  手首装着帯
４０  拳カバー
５０  親指補強帯
【図１】
2007105441.tif 000003
【図２】
2007105441.tif 000004
【図３】
2007105441.tif 000005
【図４】
2007105441.tif 000006
【図５】
2007105441.tif 000007
【図６】
2007105441.tif 000008
【図７】
2007105441.tif 000009
【図８】
2007105441.tif 000010
【図９】
2007105441.tif 000011
【図１０】
2007105441.tif 000012
【図１１】
2007105441.tif 000013